(57)【特許請求の範囲】
【請求項１】
暗号化情報が予め記録された暗号化情報記録領域と、
再生制御情報に従って再生されると共に、前記暗号化情報に基づいて暗号化された第１記録情報を記録可能な記録情報記録領域と、
前記再生制御情報に従って前記第１記録情報が再生される前に再生される第２記録情報が予め記録された再生専用領域と、
を備え、
前記第２記録情報は、複数種類の前記第１記録情報に夫々対応する複数だけ前記再生専用領域に予めプリ記録されており、
前記再生制御情報は、前記複数の第２記録情報のうち少なくとも一つを特定して再生させることを特徴とする情報記録媒体。
【請求項２】
前記複数の第２記録情報は、相互に異なる複数の暗号化情報によって夫々暗号化されて前記再生専用領域に予めプリ記録されており、
前記複数の暗号化情報のうち一の暗号化情報が、前記暗号化情報記録領域に予めプリ記録されていることを特徴とする請求項１に記載の情報記録媒体。
【請求項３】
前記複数の第２記録情報は、一の暗号化情報によって全て暗号化されて前記再生専用領域に予めプリ記録されており、
前記一の暗号化情報が、前記暗号化情報記録領域に予めプリ記録されていることを特徴とする請求項１に記載の情報記録媒体。
【発明の詳細な説明】
【技術分野】
【０００１】
本発明は、例えばＤＶＤ等の情報記録媒体の技術分野に関する。
【背景技術】
【０００２】
特許文献１等に、ＤＶＤ−Ｒ／ＲＷ等の記録型情報記録媒体に予め暗号化情報を記録して販売し、ネットワークを介して暗号化されたＤＶＤビデオコンテンツ（以下、適宜「暗号化コンテンツ」と称す）を配信する配信システムが開示されている。この配信システムにおいては、従来のＤＶＤ−Ｒ／ＲＷ等の記録型情報記録媒体と同一の物理構造の情報記録媒体に、従来のＤＶＤ−ＲＯＭ等の再生専用型情報記録媒体に適用された暗号化情報を、コントロールデータゾーン等の制御領域に、販売前にプリ記録している。【０００３】
また、例えばＣＤ−Ｒ、ＤＶＤ−Ｒ等の記録可能型の光ディスクと同様の記録可能な記録領域と、例えばＣＤ−ＲＯＭ、ＤＶＤ−ＲＯＭ等の再生専用型の光ディスクと同様の再生専用領域とを、一枚の光ディスクの外周寄り領域及び内周寄り領域に分けて併せ持つ、ハイブリッド型情報記録媒体も提案されている。【０００４】
【特許文献１】特開２００１−３０７４２７号公報
【特許文献２】特開２００１−３５７００１号公報
【特許文献３】特開２０００−３３１４１２号公報
【非特許文献１】「ＤＶＤのコンテンツ保護」東芝レビューVol.58,No6(2003)
【発明の開示】
【発明が解決しようとする課題】
【０００５】
しかしながら、上述した特許文献１においては、記録型情報記録媒体に関して特別な工夫はなされていなく、従来の記録型情報記録媒体と同一の物理構造の記録領域に、再生専用型ＤＶＤ（ＤＶＤ−ＲＯＭ）と同じ仕組みの暗号化情報をプリ記録している。このため、プリ記録されていない状態のディスクが市場に流通した場合、かかるディスクに再生専用型ＤＶＤの全体がコピーされる危険性があるという技術的な問題点がある。【０００６】
また、暗号化コンテンツの再生又は記録に関する既存のルールにおいては、記録型ＤＶＤディスクには、ディスクキー等の暗号化情報を記録することは推奨されていない。従って、情報記録再生装置においては、制御情報を取得するためのシーク動作等によってメディアの種類の判別が行われる際に、ディスク上に記録されたディスク識別情報をチェックするが、記録型ＤＶＤディスクに再生専用型ＤＶＤを示すディスク識別情報を書き込むことができる違法機器も存在するため、かかるディスク識別情報をチェックするだけでは、正当な記録型ＤＶＤディスクと、違法な記録型ＤＶＤディスクとの両者を正確に区別することができないという技術的な問題点もある。【０００７】
また、配信されるＤＶＤビデオコンテンツには、例えば、映画の配給会社や製作会社に固有である、山の絵や地球の絵などや会社のテーマソングなど、オープニング映像等の各映画会社単位で共通なＤＶＤビデオコンテンツも含まれるので、毎回配信した場合、冗長的に時間が掛かってしまうという技術的な問題点もある。【０００８】
また、各映画会社単位で例えば、オープニング映像等のＤＶＤビデオコンテンツが異なるので、前述したハイブリッド型光ディスクに、エンボスピットを同一のスタンパーを用いて形成することによって、複数種類のＤＶＤビデオコンテンツを記録することは困難であるという技術的な問題点もある。【０００９】
そこで本発明は、例えば上記問題点に鑑みなされたものであり、記録型情報記録媒体へ暗号化コンテンツを効率的に配信することを可能ならしめる情報記録媒体を提供することを課題とする。
【課題を解決するための手段】
【００１０】
（情報記録媒体）
以下、本発明の情報記録媒体について説明する。【００１１】
本発明の情報記録媒体は上記課題を解決するために、再生制御情報（例えば、ＰＧＣ：Program Chain）、及び、当該再生制御情報に従って再生される第１記録情報（コンテンツ）を記録可能な記録情報記録領域（例えば、データエリア等のＲエリア）と、前記再生制御情報及び前記第１記録情報のうち少なくとも一方を暗号化するための暗号化情報（ディスクキー）が予め記録された暗号化情報記録領域（例えば、コントロールデータゾーン）と、前記再生制御情報に従って再生される第２記録情報（オープニング映像である「山」、「ライオン」等）が予め記録された再生専用領域（ＲＯＭエリア）とを備える。【００１２】
本発明の情報記録媒体によれば、記録情報記録領域と、暗号化情報領域を含む再生専用領域とを備えたハイブリッド型情報記録媒体を実現可能である。例えば、コントロールデータゾーン等の暗号化情報記録領域においては、従来のＤＶＤ−ＲＯＭ等の再生専用型情報記録媒体に適用された暗号化情報が、エンボスピットの形成、に加えて又は代えて、レーザ光によって予めプリ記録されている。例えば、データエリア等の記録情報記録領域においては、例えば、暗号化情報によって暗号化された再生制御情報や第１記録情報等の情報が記録可能である。例えば、ＲＯＭエリア等の再生専用領域においては、第２記録情報が、エンボスピットの形成、又は、レーザ光によって予めプリ記録されている。【００１３】
その結果、第１記録情報を含むＤＶＤビデオコンテンツ全体を効率的に配信することが可能となる。【００１４】
仮に、第２記録情報が予めプリ記録されていない場合、例えば、各映画会社に対応したオープニング映像等の映画コンテンツに共通なＤＶＤビデオコンテンツを毎回配信する必要が生じてしまい冗長的に時間が掛かってしまう。【００１５】
これに対して、本発明によれば、例えば、オープニング映像等の共通なＤＶＤビデオコンテンツである第２記録情報を、エンボスピットの形成、又は、レーザ光によって、再生専用領域に予めプリ記録しておき、記録型ＤＶＤディスクとして販売する。従って、毎回共通なＤＶＤビデオコンテンツである第２記録情報を配信する必要がなくなり、ＤＶＤビデオコンテンツの全体の配信に掛かる時間を短縮化させることが可能となる。【００１６】
更に、本発明によれば、一般の情報記録再生装置は、配信されて記録された第１記録情報を暗号化情報によって復号化すると共に、再生制御情報に基づいて、第２記録情報と関連付ける。そして、両方の情報が同時に、又は、相前後して再生されることが可能である。例えば、ＰＧＣ（Program Chain）等の再生制御情報は、第１記録情報とまとめて、又は、別々に、情報記録媒体に記録されてもよい。【００１７】
尚、オープニング映像等の第２記録情報は、違法なコピーが行なわれても著作権上の損害は少ないので、第２記録情報の暗号化を省略することで配信システム全体における暗号化システムを簡素化することが可能となる。【００１８】
更に、また、暗号化コンテンツの再生又は記録に関する既存のルールである、再生専用型ＤＶＤディスクに、ディスクキー等の暗号化情報を記録することが推奨されているルールを遵守することが可能となる。【００１９】
よって、一般の情報記録再生装置においては、制御情報を取得するためのシーク動作等によってメディアの種類の判別が行われる際に、情報記録媒体に形成されたウォブル（Wobble）が存在するか否かが検出される。再生専用領域には、ウォブルが存在しないので、所定の領域内におけるウォブルの検出動作に基づいて、正当な記録型ＤＶＤディスクと違法な記録型ＤＶＤディスクとの両者を正確に区別することが可能となる。【００２０】
本発明の情報記録媒体の一態様では、前記第２記録情報は、前記暗号化情報に基づいて暗号化されて予めプリ記録されている。【００２１】
この態様によれば、例えば、本編映画コンテンツ等の第１記録情報と、例えば、オープニング映像等の第２記録情報とを、唯一の暗号化情報によって関連付けることが可能となるので、より利便性の高い暗号化システムを実現することが可能である。【００２２】
本発明の情報記録媒体の他の態様では、前記第２記録情報は、複数種類のコンテンツに対応する複数だけ前記再生専用領域に予めプリ記録されており、
前記再生制御情報は、前記複数の第２記録情報のうち少なくとも一つを特定して再生させる。【００２３】
この態様によれば、再生専用領域に、例えば、各映画会社に対応したオープニング映像等の複数の第２記録情報が、同一のスタンパーを用いたエンボスピットの形成によって、予めプリ記録されることが可能となる。よって、一般の情報記録再生装置は、配信されて記録されている第１記録情報を暗号化情報によって復号化すると共に、再生制御情報に基づいて、複数の第２記録情報のうちの特定の第２記録情報と関連付ける。そして、両方の情報が同時に、又は、相前後して再生されることが可能である。【００２４】
その結果、複数の映画会社に対応したハイブリッド型情報記録媒体を安価且つ大量に製造することが可能となる。【００２５】
上述した再生専用領域及び暗号化情報記録領域に係る態様では、前記複数の第２記録情報（「山」、「ライオン」）は、相互に異なる複数の暗号化情報（Key1、Key2）によって夫々暗号化されて前記再生専用領域に予めプリ記録されており、前記複数の暗号化情報のうち一の暗号化情報（Key2）が、前記暗号化情報記録領域に予めプリ記録されているように構成されてもよい。【００２６】
このように構成すれば、再生専用領域に、例えば、各映画会社に対応したオープニング映像等の複数の第２記録情報が、同一のスタンパーを用いたエンボスピットの形成によって、複数の暗号化情報で夫々暗号化されて予めプリ記録されることが可能となる。よって、一般の情報記録再生装置は、配信されて記録されている第１記録情報を一の暗号化情報によって復号化すると共に、一の暗号化情報に基づいて、複数の第２記録情報のうちの特定の第２記録情報を復号化する。そして、両方の情報が同時に、又は、相前後して再生されることが可能である。【００２７】
その結果、複数の映画会社に対応したハイブリッド型情報記録媒体を安価且つ大量に製造することが可能となる。【００２８】
上述した再生専用領域及び暗号化情報記録領域に係る態様では、前記複数の第２記録情報（「山」、「ライオン」）は、一の暗号化情報（Key1）によって全て暗号化されて前記再生専用領域に予めプリ記録されており、前記一の暗号化情報（Key1）が、前記暗号化情報記録領域に予めプリ記録されているように構成されてもよい。【００２９】
このように構成すれば、再生専用領域に、例えば、各映画会社に対応したオープニング映像等の複数の第２記録情報が、同一のスタンパーを用いたエンボスピットの形成によって、一の暗号化情報で全て暗号化されて予めプリ記録されることが可能となる。よって、一般の情報記録再生装置は、配信されて記録されている第１記録情報を一の暗号化情報によって復号化すると共に、再生制御情報に基づいて、複数の第２記録情報のうちの特定の第２記録情報と関連付ける。そして、両方の情報が同時に、又は、相前後して再生されることが可能である。【００３０】
その結果、複数の映画会社に対応したハイブリッド型情報記録媒体を安価且つ大量に製造することが可能となる。【００３１】
加えて、複数の映画会社が、例えば、タイトルキー等の一の暗号化情報を共有することで、より利便性の高い暗号化システムを実現することが可能である。【００３２】
本発明の情報記録媒体の他の態様では、前記第２記録情報（「ＦＢＩ著作権表示」）は、前記暗号化情報（共通Key）によって暗号化されないでプリ記録されている。【００３３】
この態様によれば、例えば、ＦＢＩによる著作権に関する警告映像等の、複数の映画会社に依存しない、全てのＤＶＤビデオコンテンツに統一して盛り込まれることが義務付けられている第２記録情報が予めプリ記録されている。【００３４】
尚、ＦＢＩによる著作権に関する警告映像等の第２記録情報は、違法なコピーが行なわれても著作権上の損害は少ないので、第２記録情報の暗号化を省略することで配信システム全体における暗号化システムを簡素化することが可能となる。【００３５】
加えて、再生制御情報による第２記録情報の再生手順を簡素化することも可能となる。【００３６】
本発明の情報記録媒体の他の態様では、前記暗号化情報（例えば、ディスクキー）は、前記第１記録情報を暗号化するための他の暗号化情報（例えば、タイトルキー）を更に暗号化するための情報であり、前記他の暗号化情報は、前記第１記録情報と共に前記記録情報記録領域に記録される。【００３７】
この態様によれば、暗号化鍵等の暗号化情報の相関関係を階層構造にすることが可能となる。従って、著作権者や、ディスク製造業者等が暗号化情報を自由に設定することが可能となり、より利便性の高い暗号化システムを構築することが可能となる。【００３８】
本発明の情報記録媒体の他の態様では、再生及び記録制御に関する制御情報を記録可能な制御情報記録領域（例えば、コントロールデータゾーン）を更に備えており、前記制御情報記録領域においては、前記再生専用領域が存在するか否かを示すフラグ情報が記録されている。【００３９】
この態様によれば、例えば、一般の情報記録再生装置の初期動作によって、制御情報記録領域に記録された再生専用領域が存在するか否かを示すフラグ情報が取得される。従って、情報記録再生装置によって、フラグ情報が識別されることで、再生専用領域に記録された第２記録情報に相当する情報のダウンロードが必要か否かを迅速に判断することが可能となる。【００４０】
加えて、情報記録再生装置によって、フラグ情報が識別されることによって、正当な記録型情報記録媒体と、違法な記録型情報記録媒体とを正確且つ迅速に区別することが可能となる。【００４１】
尚、情報記録再生装置は、このフラグ情報を、第１記録情報を配信する情報配信装置に、例えば、メディアＩＤ等の当該情報記録媒体を識別する識別情報と共に、送信してもよい。従って、情報配信装置は、第２記録情報に相当する情報を配信すべきか否かを正確且つ迅速に区別することが可能となる。【００４２】
この場合更に、前記制御情報記録領域においては、前記再生専用領域に予めプリ記録されている第２記録情報の属性及び数量、前記再生専用領域の開始位置を示す開始アドレス情報、並びに、前記再生専用領域の終了位置を示す終了アドレス情報のうち少なくとも一つが更に記録されているように構成してもよい。【００４３】
このように構成すれば、例えば、一般の情報記録再生装置の初期動作によって、制御情報記録領域に記録された、第２記録情報及び再生専用領域に関する各種情報のうち少なくとも一つが取得される。従って、情報記録再生装置、及び、情報配信装置は、各種情報に対応して適切に記録再生、及び、配信を行うことが可能となる。【００４４】
本発明の情報記録媒体の他の態様では、前記記録情報記録領域及び前記暗号化情報記録領域の少なくとも一方においては、プリフォーマットアドレス情報が記録されており、前記再生専用領域が存在するか否かを示すフラグ情報が前記プリフォーマットアドレス情報に付加されている。【００４５】
この態様によれば、例えば、一般の情報記録装置によって、記録情報記録領域及び前記暗号化情報記録領域の少なくとも一方におけるプリフォーマットアドレス情報に付加された再生専用領域が存在するか否かを示すフラグ情報が取得される。ここに「付加された」或いは「プリフォーマットアドレス情報に付加された」とは、例えばプリピットによるアドレス情報など、プリフォーマットアドレス情報と同様の手法で、若しくはプリフォーマットアドレス情報の配列に相前後して配置された又はプリフォーマットアドレス情報の配列の途中に挿入された、プリ情報として記録されることを意味する。【００４６】
従って、情報記録再生装置によって、フラグ情報が識別されることで、再生専用領域に記録された第２記録情報に相当する情報のダウンロードが必要か否かを迅速に判断することが可能となる。【００４７】
加えて、情報記録再生装置によって、フラグ情報が識別されることによって、正当な記録型情報記録媒体と、違法な記録型情報記録媒体とを正確且つ迅速に区別することが可能となる。【００４８】
尚、情報記録再生装置は、このフラグ情報を、第１記録情報を配信する情報配信装置に、例えば、メディアＩＤ等の当該情報記録媒体を識別する識別情報と共に、送信してもよい。従って、情報配信装置は、第２記録情報に相当する情報を配信すべきか否かを正確且つ迅速に区別することが可能となる。【００４９】
加えて、情報記録再生装置は、プリフォーマットアドレス情報からフラグ情報が取得するので、初期動作を簡略化することが可能である。【００５０】
この場合更に、前記再生専用領域に予めプリ記録されている第２記録情報の属性及び数量、前記再生専用領域の開始位置を示す開始アドレス情報、並びに、前記再生専用領域の終了位置を示す終了アドレス情報のうち少なくとも一つが前記プリフォーマットアドレス情報に更に付加されているように構成してもよい。【００５１】
このように構成すれば、例えば、一般の情報記録装置によって、記録情報記録領域及び前記暗号化情報記録領域の少なくとも一方におけるプリフォーマットアドレス情報に付加された第２記録情報及び再生専用領域に関する各種情報のうち少なくとも一つが取得される。従って、情報記録再生装置、及び、情報配信装置は、各種情報に対応して適切に記録再生、及び、配信を行うことが可能となる。【００５２】
本発明のこのような作用及び他の利得は次に説明する実施例から明らかにされる。【００５３】
以上説明したように、本発明の情報記録媒体によれば、再生制御情報、及び、当該再生制御情報に従って再生される第１記録情報を記録可能な記録情報記録領域と、例えば、前記再生制御情報及び前記第１記録情報のうち少なくとも一方を暗号化するための暗号化情報が予めプリ記録された暗号化情報記録領域と、前記再生制御情報に従って再生される第２記録情報が予めプリ記録された再生専用領域とを備え、前記再生制御情報及び前記第１記録情報のうち少なくとも一方は、前記暗号化情報に基づいて暗号化されて記録されるので、毎回共通なＤＶＤビデオコンテンツである第２記録情報を配信する必要がなくなり、ＤＶＤビデオコンテンツの全体の配信に掛かる時間を短縮化させることが可能となる。
【図面の簡単な説明】
【００５４】
【図１】本発明の情報記録媒体の実施例に係る光ディスクの基本構造を示し、上側部分は複数の記録領域を有する光ディスクの概略平面図であり、これに対応付けられる下側部分は、その径方向における記録領域構造の図式的概念図である。
【図２】本実施例に係る光ディスクの記録面における部分拡大斜視図である。
【図３】本発明の情報記録媒体の実施例に係る光ディスクの記録領域の物理的構造の一具体例を示した図式的概念図である。
【図４】本発明の情報記録媒体に対して、記録動作を行う情報記録装置、並びに、配信動作を行う情報配信装置を備えた配信システムの全体構成を示したブロック図である。
【図５】本発明の情報記録媒体、情報記録装置、並びに、情報配信装置における配信処理を示したフローチャートである。
【図６】本発明の情報記録媒体を記録再生する情報記録再生装置の全体構成を示すブロック図である。
【図７】本発明の情報記録再生装置の実施例の一具体例による再生動作の流れを示したフローチャートである。
【符号の説明】
【００５５】
１…センターホール、１０…トラック、１１…セクタ、１００…光ディスク、１０１…リードインエリア、１０２…データエリア、１０３…リードアウトエリア、１０６…透明基板、１０７…記録層、１０８…反射層、１０９…ウォブル、２００…情報記録装置、２００ａ…情報記録再生装置、２０１…対物レンズ、２０２…光ピックアップ、２０３…スピンドルモータ、２０４…ヘッドアンプ、２１０…総和生成回路、２１１…ピットデータ復調回路、２１２…ピットデータ訂正回路、２１３…バッファ、２１４…インターフェース、２２０…プッシュプル信号生成回路、２２１…ローパスフィルタ、２２２…サーボユニット、２２５…ＬＰＰ検出回路、２２９…エラー訂正回路、２３０…ＬＰＰ復調回路、２５０…ＣＰＵ、３００…情報配信装置、４００…外部ネットワーク、ＳＳ…スペクトラム拡散データ、ＣＫ１…第１クロック信号、ＣＫ２…第２クロック信号、ＧＴ…グルーブトラック、ＬＴ…ランドトラック、ＬＢ…レーザ光、ＬＰＰ…ランドプリピット、Ｋｅｙ１…暗号化情報（ディスクキーや、ディスクキーセット）、Ｋｅｙ２…暗号化情報（タイトルキー）、Ｋｅｙ「Ａ」、Ｋｅｙ「Ｂ」、及び、Ｋｅｙ「Ｃ」…暗号化情報、ＣＤＺ…コントロールデータゾーン、ＮＢＣＡ…Narrow Burst Cutting Area、ＲＯＭ…再生専用領域、Ｒ…記録可能領域
【発明を実施するための最良の形態】
【００５６】
以下、本発明を実施するための最良の形態について実施例を挙げて図面に基づいて説明する。【００５７】
（情報記録媒体）
以下、本発明の情報記録媒体の実施例について図１から図３を参照して説明する。【００５８】
先ず、図１及び図２を参照して、本実施例に係る情報記録媒体の一具体例である光ディスクの基本構造について説明する。ここに、図１は、本発明の情報記録媒体の実施例に係る光ディスクの基本構造を示し、上側部分は複数の記録領域を有する光ディスクの概略平面図であり、これに対応付けられる下側部分は、その径方向における記録領域構造の図式的概念図である。また、図２は、本実施例の光ディスクの記録面における部分拡大斜視図である。【００５９】
本実施例に係る光ディスク１００は、図１に示すように、物理的特性の観点から分類した２種類の記録領域、より詳細には、記録可能領域Ｒ及び再生専用領域ＲＯＭを併せ持つハイブリッド型光ディスクとして構築されている。再生専用領域ＲＯＭにおいては、本願発明に係る「第２記録情報」が、例えばエンボスピットが形成されることによって、記録されており、物理的に何度でも再生用レーザの照射による第２記録情報の再生が可能であるＲＯＭ型光ディスクとしての性質が有される。他方、記録可能領域Ｒにおいては、有機色素膜が使用されているので、追記が可能である。尚、後述されるように、各種の加熱などによる可逆変化記録方式により多数回に亘って記録が可能であると共に多数回に亘って再生が可能である書き換えを可能とするように構成されていてもよい。【００６０】
より詳細には、光ディスク１００は、例えば、ＤＶＤと同じく直径１２ｃｍ程度のディスク本体上の記録面に、センターホール１を中心として内周側から外周側に向けて、本実施例に係る緩衝用エリアとしてリードインエリア１０１、データエリア１０２、及び、他の緩衝用エリアとしてリードアウトエリア１０３が設けられている。【００６１】
リードインエリア１０１には、コントロールデータゾーンＣＤＺが設けられている。このコントロールデータゾーンＣＤＺには、この光ディスク１００に対する再生及び記録を制御するための制御情報の一部として、所定の暗号化システムに基づいたディスクキーや、ディスクキーセット等の暗号化情報Ｋｅｙ１がプリ記録されている。尚、ディスクキーや、ディスクキーセット等の暗号化情報Ｋｅｙ１によって、本願発明に係る「暗号化情報」の一具体例が構成されている。尚、リードインエリア１０１は、後述されるように、再生専用領域ＲＯＭから構成されていてもよい。【００６２】
更に、リードインエリア１０１には、ＮＢＣＡ（Narrow Burst Cutting Area）が設けられている。このＮＢＣＡには、光ディスク１００の一枚一枚に固有な製造番号、所謂、メディアＩＤがバーコード状にレーザーカッティングによって記録されている。尚、本願発明に係る「暗号化情報記録領域」の一具体例が、このコントロールデータゾーンＣＤＺによって構成されている。また、このコントロールデータゾーンＣＤＺは、後述される特殊領域ＣＤＺａを含むように構成されている。【００６３】
データエリア１０２は、暗号化システムに基づいたタイトルキー等の暗号化情報Ｋｅｙ２と、このタイトルキー等の暗号化情報Ｋｅｙ２によって暗号化された暗号化コンテンツが記録される記録可能領域Ｒから構成されている。より具体的には、タイトルキー等の暗号化情報Ｋｅｙ２は、前述したディスクキーや、ディスクキーセット等の暗号化情報Ｋｅｙ１によって暗号化されている。尚、本願発明に係る「他の暗号化情報」の一具体例が、このタイトルキー等の暗号化情報Ｋｅｙ２によって構成されている。また、本願発明に係る「記録情報記録領域」の一具体例が、このデータエリア１０２によって構成されている。【００６４】
そして、各記録領域には、例えば、センターホール１を中心にスパイラル状或いは同心円状に、例えば、グルーブトラック及びランドトラック等のトラック１０が交互に設けられている。【００６５】
図２に示すように、本実施例では、光ディスク１００は、ディスク状の透明基板１０６の下側において、情報記録面を構成する色素型記録層１０７が積層され、更にその下側に、反射層１０８が積層されている。記録層１０７の表面からなる情報記録面には、グルーブトラックＧＴ及びランドトラックＬＴが交互に形成されている。尚、光ディスク１００の記録及び再生時には、例えば図２に示したように、透明基板１０６を介してグルーブトラックＧＴ上に、レーザ光ＬＢが照射される。例えば、記録時には、記録レーザパワーでレーザ光ＬＢが照射されることで、記録データに応じて、記録層１０７へ記録が実施される。他方、再生時には、記録レーザパワーよりも弱い再生レーザパワーでレーザ光ＬＢが照射されることで、記録層１０７へ記録された記録データの読出しが実施される。【００６６】
尚、グルーブトラックＧＴ、ランドトラックＬＴ、ウォブル１０９、及び、ランドプリピットＬＰＰ等については後述に詳細に説明される。【００６７】
再び図１において、トラック１０上には、データがセクタ１１という単位が、例えば１６個集まった管理単位である１ＥＣＣブロック（クラスタ）単位にて記録される。この１ＥＣＣブロックは、エラー訂正可能なプリフォーマットアドレス情報による管理単位である。【００６８】
尚、本発明は、図１に示した如き４つの記録領域を有する光ディスク１００には特に限定されない。例えば、リードインエリア１０１やリードアウトエリア１０３の存在も任意であり、記録データが記録されるデータエリア１０２と、図示しない最適記録パワーを検出するためのＰＣＡ（Power Calibration Area）の記録領域が少なくとも設けられていればよい。【００６９】
次に、図３を参照して、本発明の情報記録媒体の実施例に係る光ディスクの記録領域の物理的構造の具体例についてより詳細に説明する。ここに、図３は、本発明の情報記録媒体の実施例に係る光ディスクの記録領域の物理的構造の一具体例を示した図式的概念図である。【００７０】
図３に示されるように、本実施例に係る光ディスク１００においては、リードインエリア１０１、リードアウトエリア１０３、及び、データエリア１０２の一部が、ウォブル１０９が形成されていない再生専用領域ＲＯＭとして構成されている。他方、データエリア１０２の他の一部が、ウォブル１０９が形成されている記録可能領域Ｒとして構成されている。特に、リードインエリア１０１には、後述される暗号化情報Ｋｅｙ「Ｂ」が、例えばレーザ光でプリ記録されるコントロールデータゾーンＣＤＺが設けられている。【００７１】
データエリア１０２の外周部は、再生専用領域ＲＯＭによって構成されている。ここには、例えば、３社の映画会社に対応したオープニング映像情報等の本願発明に係る「第２記録情報」が、同一のスタンパーを用いたエンボスピットの形成によって、予めプリ記録されている。これら３社の映画会社に対応した３種類のオープニング映像情報「Ａ」、「Ｂ」、及び、「Ｃ」は、例えば、暗号化情報Ｋｅｙ「Ａ」、Ｋｅｙ「Ｂ」、及び、Ｋｅｙ「Ｃ」で夫々暗号化されて予めプリ記録されている。よって、一般の情報記録再生装置は、配信されて記録されている「Ｂ」社のＤＶＤビデオコンテンツ等の本願発明に係る「第１記録情報」を、暗号化情報Ｋｅｙ「Ｂ」によって復号化すると共に、暗号化情報Ｋｅｙ「Ｂ」に基づいて、３種類のオープニング映像情報のうちの「Ｂ」社のオープニング映像情報を復号化する。そして、両方の情報が同時に、又は、相前後して再生されることが可能である。【００７２】
その結果、例えば、オープニング映像等の共通なＤＶＤビデオコンテンツを、エンボスピットの形成によって、再生専用領域ＲＯＭに予めプリ記録しておき、記録型ＤＶＤディスクとして販売する。従って、毎回共通なＤＶＤビデオコンテンツを配信する必要がなくなり、ＤＶＤビデオコンテンツの全体の配信に掛かる時間を短縮化させることが可能となる。更に、複数の暗号化情報で、複数の映画会社に特有の共通なＤＶＤビデオコンテンツを夫々暗号化することによって、複数の映画会社に対応したハイブリッド型情報記録媒体を安価且つ大量に製造することが可能となる。【００７３】
加えて、コントロールデータゾーンＣＤＺにおいては、再生専用領域ＲＯＭが存在するか否かを示すフラグ情報が記録されるようにしてもよい。そして、例えば、一般の情報記録再生装置の初期動作によって、コントロールデータゾーンＣＤＺに記録された再生専用領域ＲＯＭが存在するか否かを示すフラグ情報が取得される。従って、情報記録再生装置によって、フラグ情報が識別されることで、再生専用領域ＲＯＭに記録された第２記録情報に相当する情報のダウンロードが必要か否かを迅速に判断することが可能となる。また、情報記録再生装置によって、フラグ情報が識別されることによって、正当な記録型情報記録媒体と、違法な記録型情報記録媒体とを正確且つ迅速に区別することが可能となる。更に、また、情報記録再生装置は、このフラグ情報を、ＤＶＤビデオコンテンツを配信する情報配信装置に、例えば、メディアＩＤ等の光ディスクを識別する識別情報と共に、送信してもよい。従って、情報配信装置は、再生専用領域ＲＯＭに記録されている情報を配信すべきか否かを正確且つ迅速に区別することが可能となる。【００７４】
加えて、コントロールデータゾーンＣＤＺにおいては、再生専用領域ＲＯＭに予めプリ記録されている情報の属性及び数量、再生専用領域ＲＯＭの開始位置を示す開始アドレス情報、並びに、再生専用領域ＲＯＭの終了位置を示す終了アドレス情報が記録されるようにしてもよい。従って、情報記録再生装置、及び、情報配信装置は、各種情報に対応して適切に記録再生、及び、配信を行うことが可能となる。【００７５】
（情報記録媒体、情報記録装置及び情報配信装置を備えた配信システムの全体構成）
次に、図４を参照して、本発明の情報記録媒体に対して、記録動作を行う情報記録装置、並びに、配信動作を行う情報配信装置を備えた配信システムの全体構成について説明する。ここに、図４は、本発明の情報記録媒体に対して、記録動作を行う情報記録装置、並びに、配信動作を行う情報配信装置を備えた配信システムの全体構成を示したブロック図である。尚、図４におけるステップ番号は、後述される図５におけるステップ番号と対応している。また、本実施例に係る配信システムにおいては、ＤＡＯ（Disk At Once）方式を採用してもよい。【００７６】
図４に示されるように、本実施例に係る配信システムは、（ｉ）光ディスク１００に対して記録動作を行う情報記録装置２００、（ｉｉ）この情報記録装置２００に暗号化コンテンツを配信する、例えば、ウェブサーバー等の情報配信装置３００、並びに、（ｉｉｉ）これら情報記録装置２００と情報配信装置３００とが情報の授受を行うことを可能にするインターネット等の外部ネットワーク４００を備えて構成されている。【００７７】
前述したように、光ディスク１００は、ＮＢＣＡ、コントロールデータゾーンＣＤＺ、及び、暗号化コンテンツを記録するデータエリア１０２を備えて構成されている。より詳細には、ＮＢＣＡには、メディアＩＤがレーザーカッティングによって記録されている。コントロールデータゾーンＣＤＺには、ディスクキー等の暗号化情報Ｋｅｙ１が記録されている。データエリア１０２には、後述される情報配信装置３００によって配信された暗号化コンテンツ等が、そのまま記録される。【００７８】
情報記録装置２００は、光ディスク１００のメディアＩＤを、情報配信装置３００へ送信する。また、情報配信装置３００から受信した暗号化コンテンツを、光ディスク１００に対して記録する。【００７９】
情報配信装置３００は、情報記録装置２００が送信したメディアＩＤを受信する。受信したメディアＩＤに対応したディスクキー等の暗号化情報Ｋｅｙ１、及び、タイトルキー等の暗号化情報Ｋｅｙ２を生成する。生成された暗号化情報Ｋｅｙ１及びＫｅｙ２に基づいて、コンテンツに対して暗号化等の暗号化処理を行う。暗号化処理が施されたコンテンツ、即ち、暗号化コンテンツを情報記録装置２００へ配信する。尚、暗号化コンテンツは、外部ネットワーク４００を経由して配信されるため、暗号化における暗号化とは別に、ＳＳＬ（Secure Socket Layer）等の盗聴や改ざん等に対応した暗号化を施してもよい。【００８０】
外部ネットワーク４００は、情報記録装置２００と、情報配信装置３００とを、両者に備えられた図示しない回線接続装置（例えば、ハブ装置、デジタル終端接続装置（ＤＳＵ）、又は、侵入防止用のファイアウォールアプリケーションを実装したルータなど）を介して、情報の授受が行えるように接続させている。【００８１】
（情報記録媒体、情報記録装置及び情報配信装置における配信処理）
次に、図５に加えて前述した図４を適宜参照して、本発明の情報記録媒体に対して、記録動作を行う情報記録装置、並びに、配信動作を行う情報配信装置を備えた配信システムの配信処理について説明する。ここに、図５は、本発明の情報記録媒体、情報記録装置、並びに、情報配信装置における配信処理を示したフローチャートである。尚、図５におけるステップ番号は、図４におけるステップ番号と対応している。【００８２】
（情報記録装置における動作）
先ず、図５において、光ディスク１００が装填されると、先ず、後述される情報記録装置のＣＰＵ（Central Processing Unit）２５０の制御下で、光ピックアップ２０２によりシーク動作が行われる（ステップＳ１０１）。【００８３】
次に、ＣＰＵ２５０の制御下で、光ディスク１００は、コンテンツが配信されるための光ディスクであるか否かが判定される（ステップＳ１０２）。ここで、光ディスク１００は、コンテンツが配信されるための光ディスクである場合（ステップＳ１０２：Ｙｅｓ）、光ディスク１００への記録動作に必要な各種制御情報及び各種管理情報が取得される（ステップＳ１０３）。より具体的には、ＯＰＣ処理が行われ、最適記録パワーが決定されると共に、記録ストラテジーパターンが決定される。と同時に、再生専用領域ＲＯＭが存在するか否かを示すフラグ情報、並びに、再生専用領域ＲＯＭの開始及び終了位置を示す開始及び終了アドレスが取得される。【００８４】
次に、光ディスク１００には、コンテンツが記録済みであるか否かが判定される（ステップＳ１０４）。ここで、光ディスク１００には、コンテンツが記録済みではない場合（ステップＳ１０４：Ｎｏ）、ＣＰＵ２５０の制御下で、光ディスク１００上のＮＢＣＡ（Narrow Burst Cutting Area）から、当該光ディスク１００に固有のメディアＩＤが取得される（ステップＳ１０５）。【００８５】
次に、ＣＰＵ２５０の制御下で、取得されたメディアＩＤがＳＳＬ等に基づいて暗号化され、例えば、ネッワーク上のサーバー等の情報配信装置３００へ送信される（ステップＳ１０６）。【００８６】
他方、ステップＳ１０２の判定の結果、コンテンツが配信されるための光ディスクでないと判定された場合（ステップＳ１０２：Ｎｏ）、及び、ステップＳ１０４の判定の結果、光ディスク１００には、コンテンツが記録済みではあると判定された場合（ステップＳ１０４：Ｙｅｓ）、光ディスク１００は、情報記録装置２００から排出される。【００８７】
（情報配信装置における動作）
情報配信装置３００では、先ず、ＳＳＬ等によって暗号化されたメディアＩＤを受信する（ステップＳ２０１）。【００８８】
次に、情報配信装置３００では、受信したＳＳＬ等によって暗号化されたメディアＩＤを復号化する（ステップＳ２０２）。【００８９】
次に、情報配信装置３００では、復号化したメディアＩＤに対応するディスクキー等の暗号化情報Ｋｅｙ１、及び、タイトルキー等の暗号化情報Ｋｅｙ２が生成される（ステップＳ２０３）。【００９０】
次に、情報配信装置３００では、生成された暗号化情報Ｋｅｙ１及びＫｅｙ２によって配信するコンテンツ及びファイルシステムが所定の暗号化システムによって暗号化される（ステップＳ２０４）。【００９１】
次に、情報配信装置３００では、この生成された暗号化情報Ｋｅｙ１及びＫｅｙ２によって暗号化システムに基づいて暗号化された暗号化コンテンツ及びファイルシステムが、更に、ＳＳＬ等によって暗号化されて、情報記録装置２００へと配信される（ステップＳ２０５）。より具体的には、ＳＳＬ等によって暗号化された暗号化コンテンツ及びファイルシステムの属性、所謂、ＣＣＩ（Copy Control Information）は、配信されている途中において、再生できないようにするために、ネバーコピー（Never Copy）の属性に設定される。【００９２】
（情報記録装置における動作  −続き−  ）
再び、情報記録装置２００においては、情報配信装置によって配信された、ＳＳＬ等によって暗号化された暗号化コンテンツ及びファイルシステムが受信される（ステップＳ１０７）。【００９３】
次に、情報記録装置２００では、受信された暗号化コンテンツ及びファイルシステムをＳＳＬ等によって復号化する（ステップＳ１０８）。【００９４】
次に、情報記録装置２００では、暗号化情報Ｋｅｙ１及びＫｅｙ２によって暗号化された暗号化コンテンツ及びファイルシステムを復号化しないで、そのまま光ディスク１００に記録する（ステップＳ１０９）。より具体的には、所定の暗号化システムに基づいて暗号化された暗号化コンテンツ及びファイルシステムの記録は、プリ記録されていないリードインエリア１０１の最後の記録領域のアドレスから開始され、プリ記録されているデータエリア１０２の記録領域のアドレスにおいて終了される。仮に、暗号化されたコンテンツ及びファイルシステムの記録が、プリ記録されているデータエリア１０３の記録領域のアドレスまで行われない場合、このアドレスまで緩衝用データが記録されるようにしてもよい。尚、配信される予定のＤＶＤビデオコンテンツの本編映像のデータ量が小さく、各映画会社に特有のオープニング映像情報等の共通なＤＶＤビデオコンテンツを記録した方が、記録される緩衝用データのデータ量を小さくできる場合は、オープニング映像情報、本編映像を含むＤＶＤビデオコンテンツの全体を配信するようにしてもよい。【００９５】
以上のように、本実施例に係る配信システムは、情報記録装置２００と、情報配信装置３００との外部ネットワーク４００を介した情報の授受において、暗号化情報Ｋｅｙ１及びＫｅｙ２の代わりにメディアＩＤを送受信する。従って、暗号化情報記録領域に予めプリ記録された暗号化情報Ｋｅｙ１の機密性を高く保持する、即ち、セキュアな状態にすることが可能となる。よって、暗号化情報Ｋｅｙ１の違法なコピーが行われた記録型情報記録媒体を作成又は製造することは殆ど又は完全に不可能となる。【００９６】
（情報記録再生装置）
次に、図６を参照して、本発明の情報記録媒体を記録再生する情報記録再生装置について説明する。この情報記録再生装置２００ａは、前述した情報記録装置２００を含む。ここに、図６は、本発明の情報記録媒体を記録再生する情報記録再生装置の全体構成を示すブロック図である。光ディスク１００には、第１クロック信号ＣＫ１に同期したピットデータＤＰが記録マークの長短によって記録されている。この例の記録マークはピットであり、トラックはピット列によって構成される。トラックは、例えばウォブル信号ＷＢに応じて蛇行した形状になっている。ウォブル信号ＷＢは第１クロック信号ＣＫ１に同期している。【００９７】
情報記録再生装置２００ａは、光ディスク１００に対して再生ビームを照射するとともに反射光に応じた信号を出力する光ピックアップ２０２と、光ディスク１００の回転を制御するスピンドルモータ２０３と、サーボユニット２２２を備える。サーボユニット２２２には、第１クロック信号ＣＫ１及びピット同期信号ＳＹＮＣｐが供給される。サーボユニット２２２は、これらの信号に同期して、スピンドルモータ２０３の回転を制御するスピンドルサーボ、光ピックアップ２０２の光ディスク１００に対する相対的位置制御であるフォーカスサーボ及びトラッキングサーボを実行する。【００９８】
光ピックアップ２０２は、再生ビームを照射するレーザーダイオード、４分割検出回路を備える（図示略）。４分割検出回路は、再生ビームの反射光を図６に示す領域１Ａ、１Ｂ、１Ｃ、１Ｄに４分割し、各領域の光量に応じた信号を各々出力する。ヘッドアンプ２０４は、光ピックアップ２０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。なお、光ピックアップ２０２及びヘッドアンプ２０４は本願発明に係る光ピックアップ手段に相当する。【００９９】
総和生成回路２１０は、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号である。【０１００】
ピットデータ復調回路２１１は、総和読取信号ＳＲＦに基づいてピットデータＤＰを再生すると共に第１クロック信号ＣＫ１を生成する。より具体的には、ピットデータＤＰは、所定のテーブルを用いて復調されて再生データが生成される。例えば、変調方式としてＥＦＭ変調が採用される場合には、１４ビットのピットデータＤＰを８ビットの再生データに変換する処理が施される。更に、この再生データの順序を予め定められた規則に従って並べ換えるデスクランブル処理が実行され、処理済の再生データが出力される。【０１０１】
このようにして得られた再生データは、図６に示すピットデータ訂正回路２１２へ供給され、そこで、エラー訂正処理や補間処理等が施された後、バッファ２１３に記憶される。インターフェース２１４はバッファ２１３に記憶されたデータを順次読み出して所定の出力形式に変換して外部機器へ出力する。更に、このインターフェース２１４を介して、各種データが、例えば、外部ネットワーク４００に接続された前述した回線接続装置との間で入出力される。【０１０２】
プッシュプル信号生成回路２２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。即ち、再生ビームがピットに対して左側に偏っていれば、プッシュプル信号は振幅中心を基準として正極性となり、再生ビームがピットの中央に位置する場合はプッシュプル信号の値は振幅中心となり、再生ビームがピットに対して右側に偏っていれば、プッシュプル信号は振幅中心を基準として負極性となる。再生ビームとピットの相対的な位置は、トラックの蛇行に応じて変化し、プッシュプル信号の値は再生ビームとピットの相対的な位置関係を表している。即ち、プッシュプル信号は、トラックの蛇行に応じた信号である。【０１０３】
プッシュプル信号はローパスフィルタ２２１を介してサーボユニット２２２へ出力される。サーボユニット２２２は、プッシュプル信号に基づいてトラッキング制御を実行する。また、プッシュプル信号はバンドパスフィルタ２２３に供給される。バンドパスフィルタ２２３の通過帯域は、記録時においてウォブルデータＤＷをスペクトラム拡散変調して得たウォブル信号ＷＢをプッシュプル信号から抽出できるように設定されている。従って、バンドパスフィルタ２２３はプッシュプル信号生成回路２２０と共に上述した検出手段を構成し、その出力信号は、光ディスク１００からウォブル信号ＷＢを再生したものとなる。特に、コンパレータ２２４においては、暗号化情報記録領域へ違法な書き込みをしようとした場合、本願発明に係る特殊領域において記録クロック及び記録アドレスが検出することはできないために、記録動作においてエラーが発生し、記録動作が中止されるので、情報記録装置の仕様や記録制御手順にかかわらず、暗号化情報記録領域への違法な書き込みを防止することが可能となる。即ち、ＰＬＬ（Phase Locked Loop）を制御不能にすることが可能となる。【０１０４】
ＬＰＰ検出回路２３０は、コンパレータ２２４からの出力信号Ａ、及び、ピットデータ復調回路２１１によって生成された第１クロック信号ＣＫ１に基づいて、ＬＰＰ信号を検出可能に構成されている。そして、このＬＰＰ信号ＢをＬＰＰ復調回路２３０、及び、サーボユニット２２２へ出力可能に構成されている。【０１０５】
ＬＰＰ復調回路２３０は、ＬＰＰ信号Ｂを、プリフォーマットアドレス情報に復調可能に構成されている。そして、このプリフォーマットアドレス情報をエラー訂正回路２２９へ出力可能に構成されている。【０１０６】
エラー訂正回路２２９は、ＬＰＰ復調回路２３０によって復調されたプリフォーマットアドレス情報に対してエラー訂正を行う。【０１０７】
ＣＰＵ２５０は、情報記録再生装置２００ａの各構成要素を統括制御する。【０１０８】
（情報記録再生装置の実施例による再生動作の流れ）
次に、図７を参照して、本発明の情報記録媒体を再生する情報記録再生装置の実施例による再生動作について説明する。ここに、図７は、本発明の情報再生装置の実施例の一具体例による再生動作の流れを示したフローチャートである。【０１０９】
先ず、図７において、光ディスク１００が装填されると、先ず、ＣＰＵ２５０の制御下で、光ピックアップ２０２によりシーク動作が行われる（ステップＳ３０１）。【０１１０】
次に、ＣＰＵ２５０の制御下で、光ディスク１００の種類の判別が行われる（ステップＳ３０２）。【０１１１】
次に、ＣＰＵ２５０の制御下で、メディアＩＤが取得される（ステップＳ３０３）。【０１１２】
次に、ＣＰＵ２５０の制御下で、光ディスク１００が記録型情報記録媒体であるか否かの情報が取得される（ステップＳ３０４）。より具体的には、ウォブル等を検出できるか否かを判定することによって、光ディスク１００は、記録型情報記録媒体であるか否かを判定することができる。【０１１３】
次に、ＣＰＵ２５０の制御下で、光ディスク１００の記録層の数に関する情報が取得され、光ディスク１００が多層型情報記録媒体であるか否かが判定される（ステップＳ３０５）。即ち、ＣＰＵ２５０の制御下で、光ディスク１００が、１層型、２層以上の多層型情報記録媒体であるかを判定することが可能となる。ここで、光ディスク１００が、２層以上の多層型情報記録媒体であると判定された場合（ステップＳ３０５：Ｙｅｓ）、ＣＰＵ２５０の制御下で、光ディスク１００の記録トラックの方向に関する情報が取得される（ステップＳ３０６）。より具体的には、光ディスク１００は、パラレル方式であるか、又は、オポジット方式であるか否かを判定することができる。【０１１４】
他方、光ディスク１００が、２層以上の多層型情報記録媒体ではないと判定された場合（ステップＳ３０５：Ｎｏ）、光ディスク１００は、単層型情報記録媒体であるので、記録トラックの方向に関する情報の取得を行うステップＳ３０６は省略される。【０１１５】
次に、ＣＰＵ２５０の制御下で、光ディスク１００の、例えば、ユーザデータエリアに記録されているコンテンツ及びファイルシステムが所定の暗号化システムに基づいて暗号化されているか否かが判定される（ステップＳ３０７）。ここで、例えば、光ディスク１００のデータエリア１０２に記録されているコンテンツが暗号化システムに基づいて暗号化されている場合（ステップＳ３０７：Ｙｅｓ）、タイトルキー等の暗号化情報Ｋｅｙ２が取得される（ステップＳ３０８）。【０１１６】
次に、ＣＰＵ２５０の制御下で、光ディスク１００のファイルシステムに関する情報が取得される（ステップＳ３０９）。【０１１７】
次に、ＣＰＵ２５０の制御下で、光ディスク１００において、暗号化されて記録されているコンテンツが、取得された、例えば、タイトルキー等の暗号化情報Ｋｅｙ２によって、復号化される（ステップＳ３１０）。【０１１８】
以上より、ＣＰＵ２５０の制御下で、例えば、タイトルキー等の暗号化情報Ｋｅｙ２によって、復号化されたコンテンツ毎に再生される（ステップＳ３１１）。【０１１９】
他方、光ディスク１００の、例えば、ユーザデータエリアに記録されているコンテンツが暗号化システムに基づいて暗号化されていない場合（ステップＳ３０７：Ｎｏ）、ＣＰＵ２５０の制御下で、ファイルシステムに関する情報が取得される（ステップＳ３１２）。【０１２０】
以上より、ＣＰＵ２５０の制御下で、コンテンツが再生される（ステップＳ３１３）。【０１２１】
本実施例では、情報記録媒体の一具体例として、ハイブリッド型光ディスクについて説明したが、本発明は、例えば、ＣＤ、ＤＶＤ、及び、Blu-rayディスクの大容量記録媒体等の全ての光学式情報記録媒体においても使用可能である。【０１２２】
本発明は、上述した実施例に限られるものではなく、請求の範囲及び明細書全体から読み取れる発明の要旨或いは思想に反しない範囲で適宜変更可能であり、そのような変更を伴う情報記録媒体もまた本発明の技術的範囲に含まれるものである。
【産業上の利用可能性】
【０１２３】
本発明に係る情報記録媒体は、例えばＤＶＤ等の情報記録媒体の技術分野に利用可能である。
【図１】
0004458293.tif 000002
【図２】
0004458293.tif 000003
【図３】
0004458293.tif 000004
【図４】
0004458293.tif 000005
【図５】
0004458293.tif 000006
【図６】
0004458293.tif 000007
【図７】
0004458293.tif 000008